(57)【要約】【解決手段】本発明は、内蔵ウェブカメラ及び内蔵ウェブカメラの実現方法を開示しており、本発明に係る内蔵ウェブカメラは、ウェブカメラ本体とウェブカメラ本体を装着するブラケットとを備え、前記ウェブカメラ本体がブラケット内の窪み部に装着され、ウェブカメラ本体と窪み部との間に隙間を有し、ウェブカメラ本体の外壁に、非レンズ領域とレンズに対応するレンズ領域とを有し、ウェブカメラ本体の軸方向両端のシャフトレバー部がそれぞれブラケットの内側壁において対向した穴に挿入されており、前記シャフトレバー部の少なくとも一つが、相応の穴を通して、ブラケットの外側壁に設けられた同軸のウェブカメラ本体装着部に接続され、前記ウェブカメラ本体装着部がトグルローラに接続される。本発明には、ウェブカメラを有効に遮るとともに内蔵ウェブカメラの可視角度を調整できる技術が提供されており、装着操作が簡単であり、空間の使用率が高い。【選択図】図１
2016502128.tif 000002
【特許請求の範囲】
【請求項１】
ウェブカメラ本体と、ウェブカメラ本体を回動させるためのトグルローラと、ウェブカメラ本体及びトグルローラが装着されるブラケットとを備え、
前記ウェブカメラ本体が前記ブラケット内の窪み部に装着され、前記窪み部との間に隙間を有し、前記ウェブカメラ本体の外壁に、非レンズ領域とレンズに対応するレンズ領域とを有し、
前記ウェブカメラ本体の軸方向両端のシャフトレバー部がそれぞれブラケットの内側壁において対向した穴に挿入されており、且つ少なくとも一つの前記シャフトレバー部が、ブラケット側壁における相応の穴を通して、ブラケットの外側壁に設けられた同軸のウェブカメラ本体装着部に接続され、
前記ウェブカメラ本体装着部が前記トグルローラに接続されることを特徴とする内蔵ウェブカメラ。
【請求項２】
前記ウェブカメラ本体装着部は、下記の少なくとも一つの方式によってトグルローラに接続され、その方式とは、
前記トグルローラが直接に前記ウェブカメラ本体装着部と同軸に取り付けられるか、又は、
第一のギアが前記ウェブカメラ本体装着部と同軸に取り付けられ、第二のギアが前記トグルローラと同軸に取り付けられ、前記第一のギアと第二のギアとが相接するか、又は、
第一のギアが前記ウェブカメラ本体装着部と同軸に取り付けられ、第二のギアが前記トグルローラと同軸に取り付けられ、前記第一のギアと第二のギアとの間に少なくとも一つの中間ギアが設けられており、前記第一のギア、中間ギア及び第二のギアのうち隣接する二つのギアが相接し、また、前記中間ギアがブラケットの外側壁に設けられ、該中間ギアを固定するための中間ギア装着部に接続され、前記第二のギアがブラケットの外側壁に設けられ、前記トグルローラを固定するためのローラ装着部に接続されるか、又は、
第一のギアが前記ウェブカメラ本体装着部と同軸に取り付けられ、第二のギアが前記トグルローラと同軸に取り付けられ、前記第二のギアがブラケットの外側壁に設けられた前記ローラ装着部に接続され、前記第一のギアと第二のギアとがそれらの間に配置されたコンベヤを介して接続されるか、又は、
第一のギアが前記ウェブカメラ本体装着部と同軸に取り付けられ、第二のギアが前記トグルローラと同軸に取り付けられ、前記第一のギアと第二のギアとの間に少なくとも一つの中間ギアが設けられており、前記中間ギアがブラケットの外側壁に設けられた前記中間ギア装着部に接続され、前記第二のギアがブラケットの外側壁に設けられた前記ローラ装着部に接続され、前記第一のギア、中間ギア及び第二のギアのうち隣接する二つのギアの間が前記コンベヤを介して接続されることを特徴とする請求項１に記載の内蔵ウェブカメラ。
【請求項３】
前記第一のギアの歯数が前記第二のギアの歯数と異なるか、又は、
前記第一のギアの歯数が前記第二のギアの歯数と同じであることを特徴とする請求項２に記載の内蔵ウェブカメラ。
【請求項４】
前記ウェブカメラ本体のシャフトレバー部の間の主体部の形状及び寸法が前記窪み部の形状及び寸法に一致することを特徴とする請求項２に記載の内蔵ウェブカメラ。
【請求項５】
前記トグルローラ及びウェブカメラ本体がそれぞれブラケット内における異なる窪み部に設けられることを特徴とする請求項２に記載の内蔵ウェブカメラ。
【請求項６】
前記ブラケットが端末装置に固定されることを特徴とする請求項１から５のいずれか一項に記載の内蔵ウェブカメラ。
【請求項７】
ウェブカメラ本体をブラケット内の窪み部に装着し、ウェブカメラ本体と前記窪み部との間に隙間を有し、前記ウェブカメラ本体の外壁に、非レンズ領域とレンズに対応するレンズ領域とを有するようにするステップと、
ウェブカメラ本体の軸方向両端のシャフトレバー部をそれぞれブラケットの内側壁において対向した穴に挿入し、且つ少なくとも一つの前記シャフトレバー部を、ブラケット側壁における相応の穴を通して、ブラケットの外側壁に設けられた同軸のウェブカメラ本体装着部に接続するステップと、
前記ウェブカメラ本体装着部をトグルローラに接続することで、トグルローラの回転によってウェブカメラ本体を回動させ、前記非レンズ領域とレンズ領域とを切り替えるステップとを含むことを特徴とする内蔵ウェブカメラの実現方法。
【請求項８】
下記の少なくとも一つの方式によって、前記ウェブカメラ本体装着部をトグルローラに接続し、その方式とは、
前記トグルローラを直接に前記ウェブカメラ本体装着部と同軸に取り付けるか、又は、
第一のギアが前記ウェブカメラ本体装着部と同軸に取り付けられ、第二のギアが前記トグルローラと同軸に取り付けられ、前記第一のギアを前記第二のギアと相接させることにより、前記ウェブカメラ本体装着部をトグルローラに接続するか、又は、
第一のギアが前記ウェブカメラ本体装着部と同軸に取り付けられ、第二のギアが前記トグルローラと同軸に取り付けられ、前記第一のギアと第二のギアとの間に少なくとも一つの中間ギアを設けることにより、前記ウェブカメラ本体装着部をトグルローラに接続し、そのうち、前記第一のギア、中間ギア及び第二のギアのうち隣接する二つのギアが相接し、また、前記中間ギアがブラケットの外側壁に設けられ、該中間ギアを固定するための中間ギア装着部に接続され、前記第二のギアがブラケットの外側壁に設けられ、前記トグルローラを固定するためのローラ装着部に接続されるか、又は、
第一のギアが前記ウェブカメラ本体装着部と同軸に取り付けられ、第二のギアが前記トグルローラと同軸に取り付けられ、前記第二のギアがブラケットの外側壁に設けられた前記ローラ装着部に接続されており、前記第一のギアと第二のギアとをそれらの間に配置されたコンベヤを介して接続させるか、
第一のギアが前記ウェブカメラ本体装着部と同軸に取り付けられ、第二のギアが前記トグルローラと同軸に取り付けられ、前記第一のギアと第二のギアとの間に少なくとも一つの中間ギアが設けられており、前記コンベヤを介して前記第一のギア、中間ギア及び第二のギアのうち隣接する二つのギアを接続させ、そのうち、前記中間ギアがブラケットの外側壁に設けられた前記中間ギア装着部に接続され、前記第二のギアがブラケットの外側壁に設けられた前記ローラ装着部に接続されることを特徴とする請求項７に記載の内蔵ウェブカメラの実現方法。
【請求項９】
前記第一のギアの歯数を、前記第二のギアの歯数と異なるように設けるか、又は、前記第一のギアの歯数を、前記第二のギアの歯数と同じになるように設けることを更に含むことを特徴とする請求項８に記載の内蔵ウェブカメラの実現方法。
【請求項１０】
前記トグルローラ及びウェブカメラ本体をそれぞれブラケット内における異なる窪み部に設けることを更に含むことを特徴とする請求項７から９のいずれか一項に記載の内蔵ウェブカメラの実現方法。
【発明の詳細な説明】
【技術分野】
【０００１】
本発明は、ウェブカメラ開発技術分野に関し、特に、内蔵ウェブカメラ及び内蔵ウェブカメラの実現方法に関する。
【背景技術】
【０００２】
従来の端末製品（例えば家電製品）におけるウェブカメラは、外部ウェブカメラと内蔵ウェブカメラとの二つのタイプに分かれている。外部ウェブカメラは、端末製品の外部に装着され、ウェブカメラを移動させることでウェブカメラの可視角度を調整するのに対して、内蔵ウェブカメラは、端末製品の一体化構造を実現することができ、より美しくて便利であるが、内蔵されたウェブカメラはほとんど可視角度を調整することができない。
【０００３】
従来の内蔵ウェブカメラには、少なくとも下記のような欠陥が存在する。
【０００４】
ウェブカメラがますます広く利用されている現在、ウェブカメラの可視範囲を広げるために、ウェブカメラの可視角度を調整可能にするのは差し迫ったニーズになってしまい、従来の内蔵ウェブカメラではこのニーズを満たすことができない。
【０００５】
また、日常生活において、ウェブカメラの電源をオフにすることを忘れるか又はハッカーに制御されてウェブカメラの電源がオンになることにより個人情報の暴露という問題を引き起こすことがよく発生し、ウェブカメラを使わない場合にウェブカメラを如何に遮るかということも一つの解決すべき問題になる。
【発明の概要】
【発明が解決しようとする課題】
【０００６】
本発明は、内蔵ウェブカメラ及び内蔵ウェブカメラの実現方法を提供することにより、ウェブカメラの可視角度を如何に調整するか、及び、ウェブカメラを使わない場合にウェブカメラを如何に遮るかという問題を解決する。
【課題を解決するための手段】
【０００７】
上記目的に達するために、本発明に係る内蔵ウェブカメラは、ウェブカメラ本体と、ウェブカメラ本体を回動させるためのトグルローラと、ウェブカメラ本体及びトグルローラが装着されるブラケットとを備え、
前記ウェブカメラ本体が前記ブラケット内の窪み部に装着され、前記窪み部との間に隙間を有し、前記ウェブカメラ本体の外壁に、非レンズ領域とレンズに対応するレンズ領域とを有し、
前記ウェブカメラ本体の軸方向両端のシャフトレバー部がそれぞれブラケットの内側壁において対向した穴に挿入されており、且つ少なくとも一つの前記シャフトレバー部が、ブラケット側壁における相応の穴を通して、ブラケットの外側壁に設けられた同軸のウェブカメラ本体装着部に接続され、
前記ウェブカメラ本体装着部が前記トグルローラに接続される。
【０００８】
更に、前記ウェブカメラ本体装着部は、下記の少なくとも一つの方式によってトグルローラに接続され、その方式とは、
前記トグルローラが直接に前記ウェブカメラ本体装着部と同軸に取り付けられるか、又は、
第一のギアが前記ウェブカメラ本体装着部と同軸に取り付けられ、第二のギアが前記トグルローラと同軸に取り付けられ、前記第一のギアと第二のギアとが相接するか、又は、
第一のギアが前記ウェブカメラ本体装着部と同軸に取り付けられ、第二のギアが前記トグルローラと同軸に取り付けられ、前記第一のギアと第二のギアとの間に少なくとも一つの中間ギアが設けられており、前記第一のギア、中間ギア及び第二のギアのうち隣接する二つのギアが相接し、また、前記中間ギアがブラケットの外側壁に設けられ、該中間ギアを固定するための中間ギア装着部に接続され、前記第二のギアがブラケットの外側壁に設けられ、前記トグルローラを固定するためのローラ装着部に接続されるか、又は、
第一のギアが前記ウェブカメラ本体装着部と同軸に取り付けられ、第二のギアが前記トグルローラと同軸に取り付けられ、前記第二のギアがブラケットの外側壁に設けられた前記ローラ装着部に接続され、前記第一のギアと第二のギアとがそれらの間に配置されたコンベヤを介して接続されるか、又は、
第一のギアが前記ウェブカメラ本体装着部と同軸に取り付けられ、第二のギアが前記トグルローラと同軸に取り付けられ、前記第一のギアと第二のギアとの間に少なくとも一つの中間ギアが設けられており、前記中間ギアがブラケットの外側壁に設けられた前記中間ギア装着部に接続され、前記第二のギアがブラケットの外側壁に設けられた前記ローラ装着部に接続され、前記第一のギア、中間ギア及び第二のギアのうち隣接する二つのギアの間が前記コンベヤを介して接続される。
【０００９】
更に、前記第一のギアの歯数が前記第二のギアの歯数と異なるか、又は、前記第一のギアの歯数が前記第二のギアの歯数と同じである。
【００１０】
更に、前記ウェブカメラ本体のシャフトレバー部の間の主体部の形状及び寸法が前記窪み部の形状及び寸法に一致する。
【００１１】
更に、前記トグルローラ及びウェブカメラ本体がそれぞれブラケット内における異なる窪み部に設けられている。
【００１２】
更に、前記ブラケットが端末装置に固定されている。
【００１３】
本発明は、内蔵ウェブカメラの実現方法を更に提供しており、
ウェブカメラ本体をブラケット内の窪み部に装着し、ウェブカメラ本体と前記窪み部との間に隙間を有し、前記ウェブカメラ本体の外壁に、非レンズ領域とレンズに対応するレンズ領域とを有するようにするステップと、
ウェブカメラ本体の軸方向両端のシャフトレバー部をそれぞれブラケットの内側壁において対向した穴に挿入し、且つ少なくとも一つの前記シャフトレバー部を、ブラケット側壁における相応の穴を通して、ブラケットの外側壁に設けられた同軸のウェブカメラ本体装着部に接続するステップと、
前記ウェブカメラ本体装着部をトグルローラに接続することで、トグルローラの回転によってウェブカメラ本体を回動させ、前記非レンズ領域とレンズ領域とを切り替えるステップとを含む。
【００１４】
更に、前記方法において、下記の少なくとも一つの方式によって、前記ウェブカメラ本体装着部をトグルローラに接続し、その方式とは、
前記トグルローラを直接に前記ウェブカメラ本体装着部と同軸に取り付けるか、又は、
第一のギアが前記ウェブカメラ本体装着部と同軸に取り付けられ、第二のギアが前記トグルローラと同軸に取り付けられ、前記第一のギアを前記第二のギアと相接させることにより、前記ウェブカメラ本体装着部をトグルローラに接続するか、又は、
第一のギアが前記ウェブカメラ本体装着部と同軸に取り付けられ、第二のギアが前記トグルローラと同軸に取り付けられ、前記第一のギアと第二のギアとの間に少なくとも一つの中間ギアを設けることにより、前記ウェブカメラ本体装着部をトグルローラに接続し、そのうち、前記第一のギア、中間ギア及び第二のギアのうち隣接する二つのギアが相接し、また、前記中間ギアがブラケットの外側壁に設けられ、該中間ギアを固定するための中間ギア装着部に接続され、前記第二のギアがブラケットの外側壁に設けられ、前記トグルローラを固定するためのローラ装着部に接続されるか、又は、
第一のギアが前記ウェブカメラ本体装着部と同軸に取り付けられ、第二のギアが前記トグルローラと同軸に取り付けられ、前記第二のギアがブラケットの外側壁に設けられた前記ローラ装着部に接続されており、前記第一のギアと第二のギアとをそれらの間に配置されたコンベヤを介して接続させるか、
第一のギアが前記ウェブカメラ本体装着部と同軸に取り付けられ、第二のギアが前記トグルローラと同軸に取り付けられ、前記第一のギアと第二のギアとの間に少なくとも一つの中間ギアが設けられており、前記コンベヤを介して前記第一のギア、中間ギア及び第二のギアのうち隣接する二つのギアを接続させ、そのうち、前記中間ギアがブラケットの外側壁に設けられた前記中間ギア装着部に接続され、前記第二のギアがブラケットの外側壁に設けられた前記ローラ装着部に接続される。
【００１５】
更に、前記方法は、前記第一のギアの歯数を、前記第二のギアの歯数と異なるように設けるか、又は、前記第一のギアの歯数を、前記第二のギアの歯数と同じになるように設けることを更に含む。
【００１６】
更に、前記方法は、前記トグルローラ及びウェブカメラ本体をそれぞれブラケット内における異なる窪み部に設けることを更に含む。
【発明の効果】
【００１７】
本発明の有益な効果は、下記の通りになる。
【００１８】
上記のように、本発明において、上記特徴によって、トグルローラを回転することで、ウェブカメラ本体のシャフトレバー部を回転させるとともにウェブカメラ本体を回動させ、ウェブカメラ本体のレンズ領域が端末装置に保留されている撮影窓までに回動した時、ウェブカメラ本体のレンズが画像を撮影することができ、ウェブカメラ本体の非レンズ領域が撮影窓までに回動した時、ウェブカメラ本体のレンズが遮られることにより、ウェブカメラを有効に遮る技術が提供される。
【００１９】
本発明において、ウェブカメラ本体の回動によって、非使用時にウェブカメラ本体のレンズに対する遮りを実現することができるだけではなく、使用時にウェブカメラ本体のレンズの可視角度を調整することができ、また、本発明の実施例では、ブラケットを設け、ブラケットの窪み部、側壁における穴などによってウェブカメラを装着する方式によって、装着操作が簡略化され、空間の使用率が向上する。
【図面の簡単な説明】
【００２０】
【図１】本発明の一つの実施例に係る内蔵ウェブカメラの模式図である。
【図２】本発明の一つの実施例に係る図１における内蔵ウェブカメラの一部拡大図である。
【図３】本発明の一つの実施例に係る図１における内蔵ウェブカメラの別の一部拡大図である。
【図４】本発明の一つの実施例に係るトグルローラの一部拡大図である。
【図５】本発明の一つの実施例に係る内蔵ウェブカメラの実現方法のフローチャートである。
【発明を実施するための形態】
【００２１】
本発明の目的、技術及び利点が更に明らかになるように、以下、図面を参照しながら、本発明の実施形態を更に詳しく説明する。
【００２２】
本発明の一つの実施例に係る内蔵ウェブカメラは、
ウェブカメラ本体と、ウェブカメラ本体を回動させるためのトグルローラと、ウェブカメラ本体及びトグルローラが装着されるブラケットとを備え、
前記ウェブカメラ本体が前記ブラケット内の窪み部に装着され、前記窪み部との間に隙間を有し、前記ウェブカメラ本体の外壁に、非レンズ領域とレンズに対応するレンズ領域とを有し、
前記ウェブカメラ本体の軸方向両端のシャフトレバー部がそれぞれブラケットの内側壁において対向した穴に挿入されており、且つ少なくとも一つの前記シャフトレバー部が、ブラケット側壁における相応の穴を通して、ブラケットの外側壁に設けられた同軸のウェブカメラ本体装着部に接続され、
前記ウェブカメラ本体装着部が前記トグルローラに接続される。
【００２３】
そのうち、ウェブカメラ本体装着部とトグルローラとは、異なる方式によって接続してもよい。接続方式が異なると、内蔵ウェブカメラ全体の具体的な構造も異なる。具体的な説明は、下記を参照することができる。
【００２４】
上記のように、本発明の実施例において、上記特徴によって、トグルローラを回転することで、ウェブカメラ本体のシャフトレバー部を回転させるとともにウェブカメラ本体を回動させ、ウェブカメラ本体のレンズ領域が端末装置に保留されている撮影窓までに回動した時、ウェブカメラ本体のレンズが画像を撮影することができ、ウェブカメラ本体の非レンズ領域が撮影窓までに回動した時、ウェブカメラ本体のレンズが遮られることにより、ウェブカメラを有効に遮る方案が提供される。
【００２５】
本発明の実施例では、ウェブカメラ本体の回動によって、非使用時にウェブカメラ本体のレンズに対する遮りを実現することができるだけではなく、使用時にウェブカメラ本体のレンズの可視角度を調整することができ、また、本発明の実施例では、ブラケットを設け、ブラケットの窪み部、側壁における穴などによってウェブカメラを装着する方式によって、装着操作が簡略化され、空間の使用率が向上する。
【００２６】
図１は、本発明の一つの実施例に係る内蔵ウェブカメラの一例を示しており、ウェブカメラ本体１と、ウェブカメラ本体１を回動させるためのトグルローラ８と、ウェブカメラ本体１及びトグルローラ８を装着するブラケット７とを備え、ウェブカメラ本体１がブラケット７内の窪み部に装着され、ウェブカメラ本体１と前記窪み部との間に隙間を有し、ウェブカメラ本体１の外壁に、非レンズ領域とレンズに対応するレンズ領域とを有し、即ち、ウェブカメラ本体１は、レンズ領域にレンズが設けられており、
ウェブカメラ本体１の軸方向両端のシャフトレバー部がそれぞれブラケット７の内側壁において対向した穴に挿入されており（ウェブカメラ本体１のシャフトレバー部をブラケット７内に便利に取り付けるため、穴が部分的にスロット付き方式でなされたものであってもよい。このように、シャフトレバー部は、両端が大きくて真ん中が小さくなっているため、軸方向の位置決めに便利である）、前記シャフトレバー部の少なくとも一つが、相応の穴を通して、ブラケット７の外側壁に設けられた同軸のウェブカメラ本体装着部に接続され、ウェブカメラ本体装着部がトグルローラ８に接続される。
【００２７】
前記ブラケット７を端末装置に固定することにより、ウェブカメラ本体１全体を端末装置に固定し、例えば、ネジによってブラケット７をテレビ等の家電製品に固定する。図１に示すように、設置空間を節約するために、トグルローラ８及びウェブカメラ本体１をそれぞれブラケット７内における異なる窪み部に設けて、ブラケット７内部の占められていない部分をウェブカメラと端末装置との接続線を敷設することに用いてもよい。
【００２８】
図２は、本実施例に係る図１における内蔵ウェブカメラの一部拡大図である。ウェブカメラ本体１のシャフトレバー部１０が、ブラケット側壁における穴を通して、ブラケット外壁側に設けられたウェブカメラ本体装着部７０に接続される。第一のギア（ギア２）がネジによってウェブカメラ本体装着部７０に同軸に取り付けられている。このように、ギア２の回転によってウェブカメラ本体１を同軸に回動させることができる。ウェブカメラ本体１の外壁に、非レンズ領域１２とレンズに対応するレンズ領域１１とを有し、ウェブカメラ本体１が端末装置に内蔵された時、ウェブカメラ本体１のレンズが端末装置の外部の画像をキャプチャできるように、端末装置のハウジングには撮影窓が保留されており、ウェブカメラ本体１の回動中において、レンズ領域１１が撮影窓に位置した時、ウェブカメラ本体１のレンズがその可視領域に位置し、画像を撮影することができ、非レンズ領域１２が撮影窓に位置して且つレンズ領域１１がすべて撮影窓から離れた時、ウェブカメラ本体１のレンズが、遮られた領域に位置し、画像を撮影することができない。図２に示す例において、ウェブカメラ本体１の両端のシャフトレバー部１０の間の主体部が円柱形状をなしており、ウェブカメラ本体１の形状及び寸法はいずれも実際のニーズに応じて調整可能であることが考えられる。ウェブカメラ本体１を窪み部によって構成した空間に収容することができるとともに、ウェブカメラ本体１が窪み部の中で障害なく回動できることを保証するように、ウェブカメラ本体１の前記シャフトレバー部１０の間の主体部の形状及び寸法が前記窪み部の形状及び寸法に一致するのが好ましい。
【００２９】
図２に示すウェブカメラ本体１における円柱構造を有する主体部において、柱体の異なる部分は、異なる半径寸法を有し、図中からわかるように、レンズの装着されていない柱体部分の半径がレンズの装着された柱体部分の半径よりも小さくて、このような設置によって、レンズの設置に十分な空間が保証されながら、空間ができる限り節約され、空間の使用率が向上する。
【００３０】
図１及び図２に示す場面において、ウェブカメラ本体装着部７０が次の方式によってトグルローラ８に接続される。
【００３１】
前記ブラケット７の外側壁に、第一のギア２がウェブカメラ本体装着部７０と同軸に取り付けられ、第二のギア６が前記トグルローラ８と同軸に取り付けられ、前記第一のギア２と第二のギア６との間に少なくとも一つの中間ギア（例えばギア３、ギア４及びギア５）が設けられており、前記第一のギア２、中間ギア及び第二のギア６のうち、隣接する二つのギアが相接し、即ち、ギア２、ギア３乃至ギア６の任意の二つの隣接ギアの歯が相接する。
【００３２】
そして、前記中間ギアがブラケット７の外側壁に設けられた中間ギア装着部に接続され、前記第二のギア６がブラケット７の外側壁に設けられたローラ装着部（即ち、ブラケット７においてトグルローラ８を固定するための構造）に接続される。中間ギア装着部（即ち、ブラケット７において複数の中間ギアを固定し互いに接続させるための構造）及びローラ装着部のブラケット７の外側壁における具体的な位置が、中間ギア及びトグルローラ８の位置に対応しており、また、中間ギア装着部及びローラ装着部の具体的な実現方式は、前記ウェブカメラ本体装着部７０の実現方式と同じく、例えばいずれもシャフト状部材を用いて実現してもよい。
【００３３】
中間ギアの設置によって、内蔵ウェブカメラが空間設置上ではより柔軟になり、トグルローラ８がレンズと一定の距離を隔てるか、又はレンズの位置を制限せずにトグルローラ８を所望の位置に設けることができ、製造者の装着及び生産に便利であるとともに、ユーザーの使用にも便利である。また、ギア伝動の方式によって、ウェブカメラの撮像角度を調整する時の精度を高めることができる。
【００３４】
一つの変形例において、前記中間ギアを省略して、第一のギア２と第二のギア６とを直接に隣接させ、第一のギア２の歯と第二のギア６の歯とを直接に相接させることにより、ウェブカメラ本体１の回動を制御してもよいことが考えられる。
【００３５】
別の変形例において、ウェブカメラ本体装着部７０が次の方式によってトグルローラ８に接続される。トグルローラ８が直接に前記ウェブカメラ本体装着部７０と同軸に取り付けられ、例えば、図１に示す構造において、すべてのギアを取り外して、ギア２の所在する位置にトグルローラ８を装着する。この方式によって、ウェブカメラの構造が更に簡略化され、空間構造の調節については、ウェブカメラ本体１の主体部又はウェブカメラのシャフトレバー部の寸法を調整することによって実現することができる。
【００３６】
更に別の変形例において、ウェブカメラ本体装着部７０が次の方式によってトグルローラ８に接続される。第一のギア（例えばギア２）が前記ウェブカメラ本体装着部７０と同軸に取り付けられ、第二のギア（例えばギア６）が前記トグルローラ８と同軸に取り付けられ、前記第二のギアがブラケットの外側壁に設けられたローラ装着部に接続され、前記第一のギア及び第二のギアがコンベヤを介して接続される。例えば、図１に示す構造において、ギア３、ギア４、ギア５及び相応の中間ギア装着部を取り外して、ギア２及びギア６にコンベヤを配置することによって実現する。
【００３７】
更に別の変形例において、ウェブカメラ本体装着部７０が次の方式によってトグルローラ８に接続される。第一のギアがウェブカメラ本体装着部７０と同軸に取り付けられ、第二のギアがトグルローラ８と同軸に取り付けられ、第一のギアと第二のギアとの間に少なくとも一つの中間ギアが設けられており、中間ギアがブラケットの外側壁に設けられた中間ギア装着部に接続され、第二のギアがブラケットの外側壁に設けられたローラ装着部に接続され、前記第一のギア、中間ギア及び第二のギアのうち隣接する二つのギアの間がコンベヤを介して接続される。
【００３８】
本発明の一つの実施例において、第一のギアの歯数が第二のギアの歯数と異なっており、図３を参照して、第二のギア６の歯数が第一のギア２の歯数と異なっており、この方式によって所望の伝動比に達し、例えば、第二のギア６の歯数が第一のギア２の歯数よりも小さくてもよく、第二のギア６の歯数が第一のギア２の歯数よりも大きくてもよい。第一のギア２と第二のギア６との間に中間ギアが設けられた時、中間ギアの歯数が同じであってもよく、あるいは異なってもよく、ウェブカメラの所望の伝動比に達することができればよい。
【００３９】
また、第一のギアの歯数が第二のギアの歯数と同じであってもよく、あるいは異なってもよく、ウェブカメラの所望の伝動比に達することができればよいことが考えられる。
【００４０】
図４は、本実施例に係るトグルローラの一部拡大図を示す。トグルローラ８を回転させた時、それに連動して第二のギア６が回転し、第二のギア６がギア５、ギア４、ギア３を介して第一のギア２を回転させ、同時に、第一のギア２がウェブカメラ本体と同軸に回転することにより、トグルローラ８を回転させてウェブカメラ本体の回転角度を実現する機能に達する。
【００４１】
本発明の実施例は、各部材の具体的な寸法及び数量に対して限定を行わず、例えば、図１に示す場面において、ブラケット７の右側に一組のギアおよび一つのトグルローラ８を設ける場合のみが示されており、必要がある時、ブラケット７の左右両側に一組のギアおよび一つのトグルローラ８をそれぞれ設けてもよい。また、中間ギアの具体的な数量は、必要に応じて変化したりしてもよい。
【００４２】
上記のように、本発明の実施例は、少なくとも下記の効果に達することができる。
1）使用時に、レンズを、遮られた領域（非レンズ領域）から可視領域（レンズ領域）に回転させるように、ウェブカメラ本体を回転させてもよく、
2）可視領域の角度に満足しなかったら、所望の可視角度に達するまでウェブカメラの可視領域を引き続き調整してもよく、
3）使用完了後、レンズを、遮られた領域に到達させるように、トグルローラによってウェブカメラ本体を回転させてもよい。
【００４３】
上記のように、本発明の実施例において、上記特徴によって、トグルローラを回転することで、ウェブカメラ本体のシャフトレバー部を回転させるとともにウェブカメラ本体を回動させ、ウェブカメラ本体のレンズ領域が端末装置に保留されている撮影窓まで回動した時、ウェブカメラのレンズが画像を撮影することができ、ウェブカメラの非レンズ領域が撮影窓まで回動した時、ウェブカメラのレンズが遮られることにより、ウェブカメラを有効に遮る技術が提供される。
【００４４】
本発明の実施例では、ウェブカメラの回動によって、非使用時にウェブカメラに対する遮りを実現することができるだけではなく、使用時にウェブカメラの可視角度を調整することができ、また、本発明の実施例では、ブラケットを設け、且つブラケットにおける窪み部、側壁における穴などによってウェブカメラを装着する方式によって、装着操作が簡略化され、空間の使用率が向上する。
【００４５】
本発明の実施例は、内蔵ウェブカメラの実現方法を更に提供しており、図５を参照して、前記方法は、
500：ウェブカメラ本体をブラケット内の窪み部に装着し、且つ、ウェブカメラ本体と前記窪み部との間に隙間を有し、前記ウェブカメラ本体の外壁に、非レンズ領域とレンズに対応するレンズ領域とを有するようにするステップと、
502：ウェブカメラ本体の軸方向両端のシャフトレバー部をそれぞれブラケットの内側壁において対向した穴に挿入し、且つ少なくとも一つの前記シャフトレバー部を、ブラケット側壁における相応の穴を通して、ブラケットの外側壁に設けられた同軸のウェブカメラ本体装着部に接続するステップと、
504：前記ウェブカメラ本体装着部をトグルローラに接続することで、トグルローラの回転によってウェブカメラ本体を回動させ、前記非レンズ領域とレンズ領域とを切り替えるステップとを含む。
【００４６】
更に、前記ステップ504において、下記の少なくとも一つの方式によって、前記ウェブカメラ本体装着部をトグルローラに接続する。
【００４７】
前記トグルローラを直接に前記ウェブカメラ本体装着部と同軸に取り付けるか、又は、
第一のギアが前記ウェブカメラ本体装着部と同軸に取り付けられ、第二のギアが前記トグルローラと同軸に取り付けられ、前記第一のギアを前記第二のギアと相接させることにより、前記ウェブカメラ本体装着部をトグルローラに接続するか、又は、
第一のギアが前記ウェブカメラ本体装着部と同軸に取り付けられ、第二のギアが前記トグルローラと同軸に取り付けられ、前記第一のギアと第二のギアとの間に少なくとも一つの中間ギアを設けることにより、前記ウェブカメラ本体装着部をトグルローラに接続し、そのうち、前記第一のギア、中間ギア及び第二のギアのうち隣接する二つのギアが相接し、また、前記中間ギアがブラケットの外側壁に設けられ、該中間ギアを固定するための中間ギア装着部に接続され、前記第二のギアがブラケットの外側壁に設けられ、前記トグルローラを固定するためのローラ装着部に接続されるか、又は、
第一のギアが前記ウェブカメラ本体装着部と同軸に取り付けられ、第二のギアが前記トグルローラと同軸に取り付けられ、前記第二のギアがブラケットの外側壁に設けられた前記ローラ装着部に接続されており、前記第一のギアと第二のギアとをそれらの間に配置されたコンベヤを介して接続させ、
第一のギアが前記ウェブカメラ本体装着部と同軸に取り付けられ、第二のギアが前記トグルローラと同軸に取り付けられ、前記第一のギアと第二のギアとの間に少なくとも一つの中間ギアが設けられており、前記コンベヤを介して前記第一のギア、中間ギア及び第二のギアのうち隣接する二つのギアを接続させ、そのうち、前記中間ギアがブラケットの外側壁に設けられた前記中間ギア装着部に接続され、前記第二のギアがブラケットの外側壁に設けられた前記ローラ装着部に接続される。
【００４８】
本方法は、前記第一のギアの歯数を、前記第二のギアの歯数と異なるように設けるか、又は、第一のギアの歯数を、第二のギアの歯数と同じになるように設けることを更に含む。なお、本方法は、前記トグルローラ及びウェブカメラ本体をそれぞれブラケット内における異なる窪み部に設けることを更に含む。
【００４９】
本発明方法の実施例における各ステップの具体的な実行方式及びそれに応じた有益な効果については本発明の製品実施例を参照することができ、ここでは重複して説明しない。また、本実施例は、方法実施例における各ステップの具体的な実行順序に対して限定を行わない。
【００５０】
上記のように、本発明において、上記特徴によって、トグルローラを回転することで、ウェブカメラ本体のシャフトレバー部を回転させるとともにウェブカメラ本体を回動させ、ウェブカメラ本体のレンズ領域が端末装置に保留されている撮影窓まで回動した時、ウェブカメラ本体のレンズが画像を撮影することができ、ウェブカメラ本体の非レンズ領域が撮影窓まで回動した時、ウェブカメラ本体のレンズが遮られることにより、ウェブカメラを有効に遮る技術が提供される。
【００５１】
本発明では、ウェブカメラ本体の回動によって、非使用時にウェブカメラ本体のレンズに対する遮りを実現することができるだけではなく、使用時にウェブカメラ本体のレンズの可視角度を調整することができ、また、本発明の実施例では、ブラケットを設け、ブラケットの窪み部、側壁における穴などによってウェブカメラを装着する方式によって、装着操作が簡略化され、空間の使用率が向上する。
【００５２】
上記したのは、あくまでも本発明の好ましい実施例であり、本発明の保護範囲を限定するものではない。本発明の精神及び原則内になされたすべての補正、同等置換、改善等は、いずれも本発明の保護範囲に含まれるものとされる。
【図１】
2016502128.tif 000003
【図２】
2016502128.tif 000004
【図３】
2016502128.tif 000005
【図４】
2016502128.tif 000006
【図５】
2016502128.tif 000007
【手続補正書】
【提出日】平成27年6月8日(2015.6.8)
【手続補正１】
【補正対象書類名】明細書
【補正対象項目名】０００７
【補正方法】変更
【補正の内容】
【０００７】
上記目的に達するために、本発明に係る内蔵ウェブカメラは、ウェブカメラ本体と、ウェブカメラ本体を回動させるためのトグルローラと、ウェブカメラ本体及びトグルローラが装着されるブラケットとを備え、前記ブラケットが端末装置に固定され、
前記ウェブカメラ本体が前記ブラケット内の窪み部に装着され、前記窪み部との間に隙間を有し、前記ウェブカメラ本体の外壁に、非レンズ領域とレンズに対応するレンズ領域とを有し、
前記ウェブカメラ本体の軸方向両端のシャフトレバー部がそれぞれブラケットの内側壁において対向した穴に挿入されており、且つ少なくとも一つの前記シャフトレバー部が、ブラケット側壁における相応の穴を通して、ブラケットの外側壁に設けられた同軸のウェブカメラ本体装着部に接続され、
前記ウェブカメラ本体装着部が前記トグルローラに接続される。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】変更
【補正の内容】
【００１３】
本発明は、内蔵ウェブカメラの実現方法を更に提供しており、
ウェブカメラ本体をブラケット内の窪み部に装着し、前記ブラケットを端末装置に固定させ、ウェブカメラ本体と前記窪み部との間に隙間を有し、前記ウェブカメラ本体の外壁に、非レンズ領域とレンズに対応するレンズ領域とを有するようにするステップと、
ウェブカメラ本体の軸方向両端のシャフトレバー部をそれぞれブラケットの内側壁において対向した穴に挿入し、且つ少なくとも一つの前記シャフトレバー部を、ブラケット側壁における相応の穴を通して、ブラケットの外側壁に設けられた同軸のウェブカメラ本体装着部に接続するステップと、
前記ウェブカメラ本体装着部をトグルローラに接続することで、トグルローラの回転によってウェブカメラ本体を回動させ、前記非レンズ領域とレンズ領域とを切り替えるステップとを含む。
【手続補正４】
【補正対象書類名】明細書
【補正対象項目名】００１４
【補正方法】変更
【補正の内容】
【００１４】
更に、前記方法において、下記の少なくとも一つの方式によって、前記ウェブカメラ本体装着部をトグルローラに接続し、その方式とは、
前記トグルローラを直接に前記ウェブカメラ本体装着部と同軸に取り付けるか、又は、
第一のギアが前記ウェブカメラ本体装着部と同軸に取り付けられ、第二のギアが前記トグルローラと同軸に取り付けられ、前記第一のギアを前記第二のギアと相接させることにより、前記ウェブカメラ本体装着部をトグルローラに接続するか、又は、
第一のギアが前記ウェブカメラ本体装着部と同軸に取り付けられ、第二のギアが前記トグルローラと同軸に取り付けられ、前記第一のギアと第二のギアとの間に少なくとも一つの中間ギアを設けることにより、前記ウェブカメラ本体装着部をトグルローラに接続し、そのうち、前記第一のギア、中間ギア及び第二のギアのうち隣接する二つのギアが相接し、また、前記中間ギアがブラケットの外側壁に設けられ、該中間ギアを固定するための中間ギア装着部に接続され、前記第二のギアがブラケットの外側壁に設けられ、前記トグルローラを固定するためのローラ装着部に接続されるか、又は、
第一のギアが前記ウェブカメラ本体装着部と同軸に取り付けられ、第二のギアが前記トグルローラと同軸に取り付けられ、前記第二のギアがブラケットの外側壁に設けられた前記ローラ装着部に接続されており、前記第一のギアと第二のギアとをそれらの間に配置されたコンベヤを介して接続させるか、又は、
第一のギアが前記ウェブカメラ本体装着部と同軸に取り付けられ、第二のギアが前記トグルローラと同軸に取り付けられ、前記第一のギアと第二のギアとの間に少なくとも一つの中間ギアが設けられており、前記コンベヤを介して前記第一のギア、中間ギア及び第二のギアのうち隣接する二つのギアを接続させ、そのうち、前記中間ギアがブラケットの外側壁に設けられた前記中間ギア装着部に接続され、前記第二のギアがブラケットの外側壁に設けられた前記ローラ装着部に接続される。
【手続補正５】
【補正対象書類名】特許請求の範囲
【補正対象項目名】全文
【補正方法】変更
【補正の内容】
【特許請求の範囲】
【請求項１】
ウェブカメラ本体と、ウェブカメラ本体を回動させるためのトグルローラと、ウェブカメラ本体及びトグルローラが装着されるブラケットとを備え、前記ブラケットが端末装置に固定され、
前記ウェブカメラ本体が前記ブラケット内の窪み部に装着され、前記窪み部との間に隙間を有し、前記ウェブカメラ本体の外壁に、非レンズ領域とレンズに対応するレンズ領域とを有し、
前記ウェブカメラ本体の軸方向両端のシャフトレバー部がそれぞれブラケットの内側壁において対向した穴に挿入されており、且つ少なくとも一つの前記シャフトレバー部が、ブラケット側壁における相応の穴を通して、ブラケットの外側壁に設けられた同軸のウェブカメラ本体装着部に接続され、
前記ウェブカメラ本体装着部が前記トグルローラに接続されることを特徴とする内蔵ウェブカメラ。
【請求項２】
前記ウェブカメラ本体装着部は、下記の少なくとも一つの方式によってトグルローラに接続され、その方式とは、
前記トグルローラが直接に前記ウェブカメラ本体装着部と同軸に取り付けられるか、又は、
第一のギアが前記ウェブカメラ本体装着部と同軸に取り付けられ、第二のギアが前記トグルローラと同軸に取り付けられ、前記第一のギアと第二のギアとが相接するか、又は、
第一のギアが前記ウェブカメラ本体装着部と同軸に取り付けられ、第二のギアが前記トグルローラと同軸に取り付けられ、前記第一のギアと第二のギアとの間に少なくとも一つの中間ギアが設けられており、前記第一のギア、中間ギア及び第二のギアのうち隣接する二つのギアが相接し、また、前記中間ギアがブラケットの外側壁に設けられ、該中間ギアを固定するための中間ギア装着部に接続され、前記第二のギアがブラケットの外側壁に設けられ、前記トグルローラを固定するためのローラ装着部に接続されるか、又は、
第一のギアが前記ウェブカメラ本体装着部と同軸に取り付けられ、第二のギアが前記トグルローラと同軸に取り付けられ、前記第二のギアがブラケットの外側壁に設けられた前記ローラ装着部に接続され、前記第一のギアと第二のギアとがそれらの間に配置されたコンベヤを介して接続されるか、又は、
第一のギアが前記ウェブカメラ本体装着部と同軸に取り付けられ、第二のギアが前記トグルローラと同軸に取り付けられ、前記第一のギアと第二のギアとの間に少なくとも一つの中間ギアが設けられており、前記中間ギアがブラケットの外側壁に設けられた前記中間ギア装着部に接続され、前記第二のギアがブラケットの外側壁に設けられた前記ローラ装着部に接続され、前記第一のギア、中間ギア及び第二のギアのうち隣接する二つのギアの間が前記コンベヤを介して接続されることを特徴とする請求項１に記載の内蔵ウェブカメラ。
【請求項３】
前記第一のギアの歯数が前記第二のギアの歯数と異なるか、又は、
前記第一のギアの歯数が前記第二のギアの歯数と同じであることを特徴とする請求項２に記載の内蔵ウェブカメラ。
【請求項４】
前記ウェブカメラ本体のシャフトレバー部の間の主体部の形状及び寸法が前記窪み部の形状及び寸法に一致することを特徴とする請求項２に記載の内蔵ウェブカメラ。
【請求項５】
前記トグルローラ及びウェブカメラ本体がそれぞれブラケット内における異なる窪み部に設けられることを特徴とする請求項２に記載の内蔵ウェブカメラ。
【請求項６】
ウェブカメラ本体をブラケット内の窪み部に装着し、前記ブラケットを端末装置に固定させ、ウェブカメラ本体と前記窪み部との間に隙間を有し、前記ウェブカメラ本体の外壁に、非レンズ領域とレンズに対応するレンズ領域とを有するようにするステップと、
ウェブカメラ本体の軸方向両端のシャフトレバー部をそれぞれブラケットの内側壁において対向した穴に挿入し、且つ少なくとも一つの前記シャフトレバー部を、ブラケット側壁における相応の穴を通して、ブラケットの外側壁に設けられた同軸のウェブカメラ本体装着部に接続するステップと、
前記ウェブカメラ本体装着部をトグルローラに接続することで、トグルローラの回転によってウェブカメラ本体を回動させ、前記非レンズ領域とレンズ領域とを切り替えるステップとを含むことを特徴とする内蔵ウェブカメラの実現方法。
【請求項７】
下記の少なくとも一つの方式によって、前記ウェブカメラ本体装着部をトグルローラに接続し、その方式とは、
前記トグルローラを直接に前記ウェブカメラ本体装着部と同軸に取り付けるか、又は、
第一のギアが前記ウェブカメラ本体装着部と同軸に取り付けられ、第二のギアが前記トグルローラと同軸に取り付けられ、前記第一のギアを前記第二のギアと相接させることにより、前記ウェブカメラ本体装着部をトグルローラに接続するか、又は、
第一のギアが前記ウェブカメラ本体装着部と同軸に取り付けられ、第二のギアが前記トグルローラと同軸に取り付けられ、前記第一のギアと第二のギアとの間に少なくとも一つの中間ギアを設けることにより、前記ウェブカメラ本体装着部をトグルローラに接続し、そのうち、前記第一のギア、中間ギア及び第二のギアのうち隣接する二つのギアが相接し、また、前記中間ギアがブラケットの外側壁に設けられ、該中間ギアを固定するための中間ギア装着部に接続され、前記第二のギアがブラケットの外側壁に設けられ、前記トグルローラを固定するためのローラ装着部に接続されるか、又は、
第一のギアが前記ウェブカメラ本体装着部と同軸に取り付けられ、第二のギアが前記トグルローラと同軸に取り付けられ、前記第二のギアがブラケットの外側壁に設けられた前記ローラ装着部に接続されており、前記第一のギアと第二のギアとをそれらの間に配置されたコンベヤを介して接続させるか、又は、
第一のギアが前記ウェブカメラ本体装着部と同軸に取り付けられ、第二のギアが前記トグルローラと同軸に取り付けられ、前記第一のギアと第二のギアとの間に少なくとも一つの中間ギアが設けられており、前記コンベヤを介して前記第一のギア、中間ギア及び第二のギアのうち隣接する二つのギアを接続させ、そのうち、前記中間ギアがブラケットの外側壁に設けられた前記中間ギア装着部に接続され、前記第二のギアがブラケットの外側壁に設けられた前記ローラ装着部に接続されることを特徴とする請求項６に記載の内蔵ウェブカメラの実現方法。
【請求項８】
前記第一のギアの歯数を、前記第二のギアの歯数と異なるように設けるか、又は、前記第一のギアの歯数を、前記第二のギアの歯数と同じになるように設けることを更に含むことを特徴とする請求項７に記載の内蔵ウェブカメラの実現方法。
【請求項９】
前記トグルローラ及びウェブカメラ本体をそれぞれブラケット内における異なる窪み部に設けることを更に含むことを特徴とする請求項６から８のいずれか一項に記載の内蔵ウェブカメラの実現方法。
【国際調査報告】
2016502128.tif 000008
2016502128.tif 000009
2016502128.tif 000010
2016502128.tif 000011
2016502128.tif 000012
2016502128.tif 000013